(57)【特許請求の範囲】
【請求項１】
バックゲージと、前記バックゲージに一辺を当接して位置決めした用紙の前記一辺と対向する反対側の一辺を断裁する断裁刃と、前記バックゲージの前記断裁刃に対する距離を、用紙の各辺の断裁順にしたがって表示する表示部を備えてなる用紙断裁機における断裁順表示装置において、前記断裁順表示装置に、上下が識別できる画像を描いた用紙の画像データを記憶する第１の記憶手段と、前記第１の記憶手段に記憶した用紙の画像を用紙の各辺の断裁ごと所定角回転する回転手段と、前記バックゲージの画像データを記憶する第２の記憶手段と、用紙の各辺の断裁ごとに前記バックゲージの画像と前記用紙の画像を読み出し、読み出した前記画像のバックゲージに回転した前記画像の用紙の一辺を当接した画像を表示する表示手段を設けたことを特徴とする用紙断裁機における断裁順表示装置。
【発明の詳細な説明】
【技術分野】
【０００１】
本発明は、用紙断裁機における断裁順表示装置に関するものである。
【背景技術】
【０００２】
製本作業工程の一つとして、印刷された大型用紙（以下、用紙という。）の四辺を断裁して所定のサイズ（例えば、仕上げ本のサイズ）に仕上げる用紙断裁工程がある。図４はこのような用紙断裁工程で用いられる断裁機の一例を示すもので、この図４において、１は断裁刃、２は用紙位置決め台、３はバックゲージ、４は断裁する用紙、５は断裁順表示装置の表示部である。バックゲージ３は、図５に示すように用紙位置決め台２に設置されており、送りねじ６に螺合されている。送りねじ６はモータＭの回転軸に連結されており、モータＭの回転軸の回転で回転する。送りねじ６の回転でバックゲージ３は断裁刃１に対して接近し、離間移動する。
【０００３】
そして、モータＭの回転は、断裁制御装置により制御される。断裁制御装置には断裁ごとのバックゲージ３の断裁刃１に対する距離が設定されており、この設定にしたがい断裁ごとバックゲージ３の位置が決められ、位置決めされたバックゲージ３に断裁する用紙の一辺を当接して断裁する。
【０００４】
図６は、Ａ４サイズの仕上げ本を例にして、このような断裁順を実行する用紙断裁機における断裁順表示装置の表示部５の表示画面を示すもので、５ａは次の断裁におけるバックゲージ３の断裁刃に対する距離を表示する表示画面、５ｂは用紙の断裁順を表示する表示画面、５ｃは断裁順ごとのバックゲージの断裁刃に対する距離を表示する表示画面である。すなわち、最初の１回目の断裁では、バックゲージ３が断裁刃に対して３０２．０ｍｍの距離に位置し、２回目の断裁では２１５．０ｍｍ、３回目では２９７．０ｍｍ、４回目では２１０．０ｍｍに位置することを示している。図示では、次の断裁は２回目であって、距離を表示する表示部１には２回目の断裁である２１５．０ｍｍの位置にバックゲージが位置していることを示している。
【０００５】
最初の１回目の断裁は、バックゲージ３が断裁刃に対して３０２．０ｍｍの距離に位置しており、図７に示すように用紙Ｐの定められた例えば上辺（本の天部）をバックゲージ３に当接して用紙位置決め台上に載置し、断裁スイッチＳＷ１、ＳＷ２（図４参照）を操作して断裁刃１を下降して断裁する。この断裁が終了するとバックゲージ３は移動し、断裁刃１に対して２１５．０ｍｍの距離に位置する。そして、用紙Ｐを反時計方向に９０度回転して位置決めされたバックゲージ３に当接して用紙位置決め台上に載置し、断裁スイッチＳＷ１、ＳＷ２（図４参照）を操作して断裁刃１を下降して断裁する。以下同様に３回目、４回目と順に用紙Ｐを９０度ごと回転して断裁し、４回目の断裁が終了すると仕上げ本のサイズの用紙が得られる。
【０００６】
この場合、バックゲージは断裁順に機械的に位置決めされるので、たとえば最初（１回目）の断裁を行う際、誤って用紙Ｐの下辺をバックゲージ３に当接して載置すると、図８に示すように正規の断裁位置からはずれた位置で断裁されてしまい不良品となる。また、図７に示すように最初の１回目で正しくバックゲージ３に用紙Ｐの上辺を当接しても、２回目の断裁を行うために用紙Ｐを時計方向に９０度回転しても正規の断裁位置からはずれた位置で断裁されてしまい不良品となる。そのために、作業者は常にバックゲージ３に当接する用紙Ｐの辺に注意しなければならず、その手間が煩わしく、特に不慣れな作業者は誤って断裁してしまい易いといった問題があった。
【発明の開示】
【発明が解決しようとする課題】
【０００７】
本発明が解決しようとする課題は、用紙の辺の断裁順に応じてバックゲージが機械的に位置決めされる断裁機において、バックゲージに当接する用紙の辺の誤りをなくすことができるようにし、斯かる問題を解消する点にある。
【課題を解決するための手段】
【０００８】
本発明は、バックゲージと、前記バックゲージに一辺を当接して位置決めした用紙の前記一辺と対向する反対側の一辺を断裁する断裁刃と、前記バックゲージの前記断裁刃に対する距離を、用紙の各辺の断裁順にしたがって表示する表示部を備えてなる用紙断裁機における断裁順表示装置において、前記断裁順表示装置に、上下が識別できる画像を描いた用紙の画像データを記憶する第１の記憶手段と、前記第１の記憶手段に記憶した用紙の画像を用紙の各辺の断裁ごと所定角回転する回転手段と、前記バックゲージの画像データを記憶する第２の記憶手段と、用紙の各辺の断裁ごとに前記バックゲージの画像と前記用紙の画像を読み出し、読み出した前記画像のバックゲージに回転した前記画像の用紙の一辺を当接した画像を表示する表示手段を設けたことを特徴とする。
【発明の効果】
【０００９】
本発明では、断裁ごとに上下が識別できる画像を描いた用紙の一辺をバックゲージに当接した画像を表示するので、作業者は断裁する用紙のバックゲージに当接する辺を簡単に確認することができ、作業者による断裁誤りを大幅に低減することができる。
【発明を実施するための最良の形態】
【００１０】
用紙の辺の断裁順に応じてバックゲージが機械的に位置決めされる断裁機において、バックゲージに当接する用紙の辺の誤りをなくすことができるようにする目的を、バックゲージの画像に当接する上下が識別できる画像を描いた用紙の画像を当接した画像を断裁順に表示装置の表示部に表示することにより実現した。
【実施例】
【００１１】
以下、本発明の実施例について図を参照して説明する。図１は本発明の実施例に係る断裁順表示装置の表示画面、図２は本発明の実施例に係る表示装置のブロック図、図３は図１に示す表示画面の動作説明図である。なお、図６に示す従来の断裁順表示装置の表示画面と同一部分には同一の符号を付し、その部分の説明は省略する。図１において、５ｄはバックゲージの画像、５ｅは上下が識別できる画像５ｆを描いた用紙の画像である。図１に示す画像は２回目に断裁する場合の画像表示である。画像を表示する表示面のサイズは図５に示す用紙位置決め台２と対応しており、バックゲージの画像５ｄの位置は、用紙位置決め台２のバックゲージと対応している。
【００１２】
断裁順表示装置は、図２に示すように中央演算処理装置（ＣＰＵ）７とメモリ８を有し、メモリ８には、バックゲージの画像データおよび上下が識別できる画像を描いた用紙の画像データを記憶する記憶部８ａ、バックゲージの位置を断裁順に設定するバックゲージ位置設定テーブル８ｂおよび用紙の回転量を断裁順に設定する回転量テーブル８ｃが備えられている。記憶部８ａの画像データは、通信部９または入力部１０から適宜入力する。
【００１３】
バックゲージ位置設定テーブル８ｂの設定は、通信部９を経て印刷装置から用紙（大型用紙）に対する印刷区域の情報を取得し、その情報からバックゲージの位置を算出して行う。たとえば、大型用紙にＡ４の仕上げ本サイズを印刷する場合、その大型用紙に対して仕上げ本の地部および仕上げ本の背部に相当する基準位置が決められる。この基準位置から、まず仕上げ本の天部に相当する一辺を断裁するとして、バックゲージの位置を算出し、その算出値をバックゲージ位置設定テーブル８ｂに最初（第１回目）のバックゲージ位置として設定する。次に仕上げ本の小口部に相当する一辺を断裁するとして、バックゲージの位置を算出し、その算出値をバックゲージ位置設定テーブル８ｂに第２回目のバックゲージの位置として設定する。続いて、第１回目の断裁が終了したものとしてバックゲージの位置を算出し、その算出値をバックゲージ位置設定テーブル８ｂに第３回目のバックゲージの位置として設定し、第２回目の断裁が終了したものとしてバックゲージの位置を算出し、その算出値をバックゲージ位置設定テーブル８ｂに第４回目のバックゲージの位置として設定する。
【００１４】
回転量テーブル８ｃの設定は、入力部１０から断裁する用紙の回転方向と角度、および画像を表示する表示面におけるバックゲージの位置を入力して、断裁順ごとに設定する。この実施例では、大型用紙をＡ４の仕上げ本サイズに断裁する場合で、回転量１には、断裁する用紙の回転角０度、第１回目の断裁におけるバックゲージの断裁刃（断裁ライン）からの距離３０２．０ｍｍに対応する画像を表示する表示面における距離を設定し、回転量２には、断裁する用紙の回転角反時計方向に９０度、第２回目の断裁におけるバックゲージの断裁刃（断裁ライン）からの距離２１５．０ｍｍに対応する画像を表示する表示面における距離を設定し、回転量３には、断裁する用紙の回転角反時計方向に１８０度、第３回目の断裁におけるバックゲージの断裁刃（断裁ライン）からの距離２９７．０ｍｍに対応する画像を表示する表示面における距離を設定し、回転量４には、断裁する用紙の回転角反時計方向に２７０度、第４回目の断裁におけるバックゲージの断裁刃（断裁ライン）からの距離２１０．０ｍｍに対応する画像を表示する表示面における距離を設定する。なお、回転量テーブル８ｃの設定も、通信部９を経て印刷装置から用紙（大型用紙）に対する印刷区域の情報を取得し、その情報から算出して設定するようにしてもよい。
【００１５】
そして、断裁を開始すると、バックゲージ位置設定テーブル８ｂの第１回目の設定値（３０２．０ｍｍ）を読み出し、その設定値の位置にバックゲージ３を移動して位置決めする。また、バックゲージの画像および上下が識別できる画像を描いた用紙の画像を読み出し、回転量テーブル８ｃの回転量１に設定した設定にしたがい、図３（ａ）に示すようにバックゲージの画像に、上下が識別できる画像を描いた用紙の画像の下辺を当接した画像を作成して表示部５の画像表示面に表示する。作業者は画像表示面の画像を視認することで、誤りなく断裁する用紙を用紙位置決め台２（図４、図５参照）に設置することができる。
【００１６】
第１回目の断裁を終了すると、バックゲージ位置設定テーブル８ｂの第２回目の設定値（２１５．０ｍｍ）を読み出し、その設定値の位置にバックゲージ３を移動して位置決めする。また、バックゲージの画像および上下が識別できる画像を描いた用紙の画像を読み出し、回転量テーブル８ｃの回転量２に設定した設定にしたがい、図３（ｂ）に示すようにバックゲージの画像に、上下が識別できる画像を描いた用紙の画像の左辺を当接した画像を作成して表示部５の画像表示面に表示する。作業者はこの画像表示面の画像を視認することで、誤りなく断裁する用紙を反時計方向に９０度回転して用紙位置決め台２（図４、図５参照）に設置することができる。
【００１７】
以下、同様に断裁を終了ごと、バックゲージ位置設定テーブル８ｂの回数に対応した設定値を読み出し、その設定値の位置にバックゲージ３を移動して位置決めする。また、バックゲージの画像および上下が識別できる画像を描いた用紙の画像を読み出し、回転量テーブル８ｃの回転量２に設定した設定にしたがい、図３（ｃ）および図３（ｄ）に示すようにバックゲージの画像に、上下が識別できる画像を描いた用紙の画像の左辺を当接した画像を作成して表示部５の画像表示面に表示する。一つの用紙の断裁が完了すると最初の第１回目の断裁に戻る。なお、図３中５ｇは断裁屑であるが、画像表示面には表示しない。
【図面の簡単な説明】
【００１８】
【図１】本発明の実施例に係る断裁順表示装置の表示画面である。
【図２】本発明の実施例に係る表示装置のブロック図である。
【図３】図１に示す表示画面の動作説明図である。
【図４】断裁機の斜視図である。
【図５】位置決め台の構成を示す斜視図である。
【図６】従来の断裁順表示装置の表示画面である。
【図７】位置決め台上の用紙の設置を示す平面図である。
【図８】位置決め台上の用紙の誤った設置を示す平面図である。
【符号の説明】
【００１９】
１  断裁刃
２  用紙位置決め台
３  バックゲージ
５  断裁順表示装置の表示部
５ａ  次の断裁におけるバックゲージの断裁刃に対する距離の表示欄
５ｂ  用紙の断裁順を表示する表示欄
５ｃ  断裁順ごとのバックゲージの断裁刃に対する距離を表示する表示欄
５ｄ  バックゲージの画像
５ｅ  上下が識別できる画像を描いた用紙の画像
５ｆ  上下が識別できる画像
７  中央演算処理装置（ＣＰＵ）
８  メモリ
８ａ  画像データ記憶部
８ｂ  バックゲージ位置設定テーブル
８ｃ  回転量テーブル
９    通信部
１０  入力部
【図１】
0005142271.tif 000002
【図２】
0005142271.tif 000003
【図３】
0005142271.tif 000004
【図４】
0005142271.tif 000005
【図５】
0005142271.tif 000006
【図６】
0005142271.tif 000007
【図７】
0005142271.tif 000008
【図８】
0005142271.tif 000009